(57)【要約】【課題】プレーヤーが個人使用できるようなスピーカ装置やミキサ等を構成し、使い勝手がよく、搬入、搬出等をし易すくする。【解決手段】アンプ装置２とスピーカボックス本体１とからなる回路ユニット結合型スピーカ装置１０を用いる。スピーカボックス本体１と同構造のスピーカボックス本体１′を有する第２スピーカ装置１０′を用いる。アンプ装置２、スピーカボックス本体１、スピーカボックス本体１′をそれぞれスタンド４Ａ，４Ｂ，４Ｃで保持する。アンプ装置２をプレーヤーＰの傍らに設置できるようにする。搬出（搬入）時、スピーカボックス本体１の凹部１Ａ内にアンプ装置２を嵌合収納し、スピーカボックス本体１′の凹部１Ａ′内にケーブルＣ２〜Ｃ４およびマイクＭを収納して裏蓋２′で凹部１Ａ′を蓋する。【選択図】図１
2006093962.tif 000002
【特許請求の範囲】
【請求項１】
スピーカを固着したスピーカボックス本体と該スピーカに接続するための回路ユニットとからなる回路ユニット結合型スピーカ装置において、
前記スピーカボックス本体は、スピーカボックス用の空間と、前記スピーカを前面に固着するとともに、背面に前記空間に干渉しない凹部を設けてなり、
該凹部の周囲の一部に被固定部を設け、
前記回路ユニットに、前記被固定部に対応した位置に固定部を設け、
前記凹部に前記回路ユニットを嵌入し、該凹部の前記被固定部に該回路ユニットの前記固定部を固着させることで、該固定部にて前記スピーカボックス本体に前記回路ユニットを着脱自在に収納し得るようにしたことを特徴とする回路ユニット結合型スピーカ装置。
【請求項２】
スピーカを固着したスピーカボックス本体と該スピーカに接続するための回路ユニットとからなる回路ユニット結合型スピーカ装置において、
該回路ユニット結合型スピーカ装置は、前記スピーカボックス本体に前記回路ユニットを固定するための係止手段を有し、
前記スピーカボックス本体は、前記スピーカを前面に固着するとともに、後面に凹部を設けてなり、
該凹部の周囲の一部に被係着部を設け、
前記回路ユニットに、前記被係着部に対応した位置に係着部を設け、
前記凹部に前記回路ユニットを嵌合し、該凹部の前記被係着部に該回路ユニットの前記係着部を係着させて、該係着部または前記係止手段にて前記スピーカボックス本体に前記回路ユニットを着脱自在に収納し得るようにしたことを特徴とする回路ユニット結合型スピーカ装置。
【請求項３】
前記請求項１または請求項２に記載の回路ユニット結合型スピーカ装置であって、スピーカを固着したスピーカボックスを有する第２スピーカ装置を有し、
前記第２スピーカ装置は、前記スピーカボックス本体に脱落防止部材を固定するための係止手段を有し、
該スピーカボックス本体は、前記スピーカを前面に固着するとともに、後面に凹部を設けてなり、
該凹部の周囲の一部に被係着部を設け、
前記脱落防止部材に、前記被係着部に対応した位置に係着部を設け、
前記凹部に、前記回路ユニット、前記回路ユニット結合型スピーカ装置および第２スピーカ装置を使用するのに必要な必需品を収納し得るようになし、
該凹部に前記脱落防止部材を嵌合し、該凹部の前記被係着部に該脱落防止部材の前記係着部を係着させて、該係着部または前記係止手段にて前記スピーカボックス本体に該前記脱落防止部材を着脱自在にし、前記必需品を前記凹部に収納した場合は、該凹部への前記脱落防止部材の係着により、該必需品の脱落を防止するようにしたことを特徴とする回路ユニット結合型スピーカ装置。
【請求項４】
前記回路ユニットはその背面にスタンドに係合するスタンド係着部を設けたことを特徴とする請求項１、２または３に記載の回路ユニット結合型スピーカ装置。
【請求項５】
前記スピーカボックス本体は前記スピーカの前面対向面以外の外周面にスタンドに係着するスタンド係着部を設け、前記回路ユニットの背面に設けたスタンド係着部は、前記スピーカボックス本体の全面以外の面に設けたスタンド係着部と同一に構成したことを特徴とする請求項４に記載の回路ユニット結合型スピーカ装置。
【発明の詳細な説明】
【技術分野】
【０００１】
本発明は、スピーカを固着したスピーカボックス本体と該スピーカに接続するためのミキサ装置やアンプ装置等の回路ユニットとからなる回路ユニット結合型スピーカ装置に関する。
【背景技術】
【０００２】
従来、特開２００４−１２０４２４号公報に開示されているように、スピーカボックス内にアンプを搭載したボックスタイプのスピーカ装置が知られている。この従来のスピーカ装置はアンプを操作できるようにはなっていないが、例えばギターアンプのように音量や音質等のパラメータを設定できるものもある。
【０００３】
ところで、バンド演奏、ソロ演奏を問わずボーカルや楽器の音をスピーカから流す場合、ミキサを用いることが多いが、一般的にミキサとスピーカ装置とは別体である。そこで、特開２００４−１２０４２４号公報のようなスピーカ装置に加えて、ミキサ部もスピーカ装置に組み込むものも考えられる。また、従来では、アンプやミキサ部はスピーカボックスに固着され、取り外し不可能な構造となっている。
【特許文献１】特開２００４−１２０４２４号公報
【発明の開示】
【発明が解決しようとする課題】
【０００４】
しかし、プレーヤーの演奏時（スピーカの使用時）に、アンプやミキサのパラメータをプレーヤー自身が変更設定できることは有用であるが、上記のような従来のスピーカ装置では、プレーヤはスピーカ装置の近くにいないといけないので、使用に制限があり、使い勝手が悪いという問題がある。
【０００５】
また、大がかりなＰＡ装置を使用しなくてもよいように、プレーヤーが個人使用できるようなスピーカ装置やミキサ等があると便利であり、この場合にも、ステージや会場等に対して搬入、搬出が容易な構成とすることが有用である。
【０００６】
本発明は、使い勝手がよく、搬入、搬出等のし易いスピーカ装置を提供することを課題とする。
【課題を解決するための手段】
【０００７】
請求項１の回路ユニット結合型スピーカ装置は、スピーカボックス本体にスピーカボックス用の空間に干渉しない凹部を設け、回路ユニット（ミキサ装置等）をこの凹部に収納し、該凹部の周囲の被固定部に該回路ユニットの固定部を固着させることで、スピーカボックス本体に回路ユニットを着脱自在に収納し得るようにした。
【０００８】
請求項２の回路ユニット結合型スピーカ装置は、スピーカボックス本体の背面（スピーカと反対側）に凹部を設け、回路ユニット（ミキサ装置等）をこの凹部に収納し、回路ユニットに設けた係止手段と係着部、および凹部に設けた被係着部とにより回路ユニットをスピーカボックス本体の凹部に対して係着し、回路ユニットを凹部に着脱自在に収納し得るようにした。回路ユニットとしては、アンプ内蔵のミキサ装置、あるいはアンプ装置等が適している。被係止部と被係着部は請求項１の被固定部の一例であり、係止手段と係着部は請求項１の固定部の一例である。
【０００９】
請求項３の回路ユニット結合型スピーカ装置は、請求項１または２の回路ユニット結合型スピーカ装置と第２スピーカ装置とで一対として設けられ、この第２スピーカ装置のスピーカボックス本体の背面に凹部を設け、この凹部内に、回路ユニットとスピーカボックスを接続するケーブル線等の必需品を収納し、この凹部に対して、請求項１の回路ユニットと同様な構造で、プレート等の脱落防止部材を係着するようにした。必需品はマイク等でもよい。
【００１０】
請求項４の回路ユニット結合型スピーカ装置は、請求項１、２または３に記載の回路ユニット結合型スピーカ装置において、回路ユニット（ミキサ装置等）の背面にスタンドに係合するスタンド係着部を設け、回路ユニットをスピーカボックス本体から取り外して使用するときに、回路ユニットをスタンド係着部にてスタンドで保持できるようにした。
【００１１】
請求項５の回路ユニット結合型スピーカ装置は、請求項４に記載の回路ユニット結合型スピーカ装置において、スピーカボックス本体の前記スピーカの前面対向面以外の外周面にスタンドに係着するスタンド係着部を設け、回路ユニットの背面に設けたスタンド係着部と、スピーカボックス本体のスタンド係着部とを同一に構成し、回路ユニットとスピーカボックスとを同じ構造のスタンドで保持できるようにした。
【００１２】
なお、請求項３において、脱落防止部材（プレート等）に当該回路ユニット結合型スピーカ装置の使用態様例を図画等により表示しておくと、さらに、使い勝手がよくなる。
【００１３】
また、各請求項において、固定部と被固定部との両部、あるいは係着部と被係着部との両部において、弾性部材の弾性回復力と摩擦によるによる係着とすると、極めて少ないネジ数により、回路ユニットと脱落防止部材、回路ユニットまたは脱落防止部材を着脱できる。
【発明の効果】
【００１４】
請求項１または請求項２によれば、スピーカ装置の使用時にミキサ装置やアンプ装置等の回路ユニットをスピーカボックス本体から外して、別体としてプレーヤーの近くに配置できるので、使い勝手がよく、また、搬入、搬出時に、スピーカボックス本体内に回路ユニットを収納できるので、搬入、搬出等がし易くなる。
【００１５】
請求項３によれば、請求項１または２の効果が得られるとともに、ケーブル線等の必需品もスピーカボックス本体に収納できるので、さらに、搬入、搬出等がし易くなる。
【００１６】
請求項４によれば、請求項１、２または３の効果が得られるとともに、回路ユニットをスタンドで保持できるので、さらに、使い勝手が良くなる。
【００１７】
請求項５によれば、請求項４の効果が得られるとともに、回路ユニットとスピーカボックス本体とにそれぞれ用いるスタンドを共通構造（同製品）とすることができるので、これらのスタンドで相互に使い回しができ、すなわち、スタンドを区別することなく使用できるので、さらに、使い勝手がよくなる。
【発明を実施するための最良の形態】
【００１８】
以下、図面を参照して本発明の実施形態について説明する。図１は実施形態における回路ユニット結合型スピーカ装置の使用状態の一例を示す図であり、この例は、回路ユニット結合型スピーカ装置１０と第２スピーカ装置１０′を用いている。なお、以下の説明で回路ユニット結合型スピーカ装置１０あるいは第２スピーカ装置１０′を必要に応じて「スピーカ装置」という。回路ユニット結合型スピーカ装置１０は、図１の使用状態ではそれぞれ分離されるスピーカボックス本体１と「回路ユニット」としてのミキサ装置２とで構成され、第２スピーカ装置１０′はスピーカボックス本体１′と「脱落防止部材」としての裏蓋２′（図５も参照）とで構成されている。各スピーカボックス本体１，１′内には、該スピーカボックス本体１，１′の前面にスピーカ３，３′が固着されている。なお、回路ユニット結合型スピーカ装置１０と第２スピーカ装置１０′は、ミキサ装置２と裏蓋２′との構成が異なるだけで、スピーカボックス本体１，１′の構成は同一である。
【００１９】
各スピーカボックス本体１，１′およびミキサ装置２は、それぞれ三脚のスタンド４Ａ，４Ｂ，４Ｃによって保持されている。プレーヤーＰはこの例ではキーボード（電子鍵盤楽器）ＫＢを演奏し、マイクＭで歌を歌うが、キーボードＫＢとマイクＭは、ケーブルＣ１，Ｃ２によってそれぞれミキサ装置２に接続されている。また、スピーカボックス本体１，１′（その回路）はケーブルＣ３，Ｃ４によりミキサ装置２に接続されている。そして、キーボードＫＢの演奏によるオーディオ信号、マイクＭからのオーディオ信号（音声信号）はミキサ装置２でミキシングされ、ミキシングされたステレオ２チャンネルの左右の信号がスピーカボックス本体１，１′のスピーカ３，３′にそれぞれ供給され、発音される。ここで、ミキサ装置２はスピーカボックス本体１から分離されているので、図示のようにこのミキサ装置２をプレーヤーＰの傍ら（近傍）に配置することができ、プレーヤーＰはミキサ装置２を容易に操作することができる。なお、ミキサ装置２は複数のプレーヤーが集まっても、入出力部材（マイクや楽器等）を複数接続する構成としても使用される。
【００２０】
各スピーカボックス本体１，１′には、その背面に凹部１Ａ，１Ａ′が形成されている。そして、当該スピーカ装置１０，１０′の搬出（あるいは搬入）時には、スピーカボックス本体１の凹部１Ａにミキサ装置２を嵌合収納し、当該ミキサ装置２によって凹部１Ａが閉蓋される。また、ケーブルＣ１〜Ｃ４およびマイクＭは、他方のスピーカボックス本体１′の凹部１Ａ′に収納され、裏蓋２′により凹部１Ａ′が蓋される。これにより、両スピーカ装置１０，１０′を搬出するだけでミキサ装置２、ケーブルＣ１〜Ｃ４およびマイクＭをまとめて搬出することができる。
【００２１】
図４はスピーカボックス本体１，１′を示す図であり、図４(A) は背面図、図４(B) は側断面図（図４(A) のＡ−Ａ断面図）、図４(C) は底面図である。両スピーカボックス本体１，１′は同一構造であるので、図４においては、符号を簡単にするためにスピーカボックス本体１として説明する。なお、図４(A) ，(B) の状態がスピーカボックス本体１が正立の状態であり、同図の上下をスピーカボックス本体１の上下とする。また、図４(B) の左側を背面側、右側を前面側という。
【００２２】
スピーカボックス本体１は合成樹脂の型成型により形成されており、その背面側から内部に窪んだ開口形状が矩形の凹部１Ａが形成されている。凹部１Ａの内部の側面および角部にはボス１ａ１〜１ａ９が形成されている。凹部１Ａの底板部１Ａａは該スピーカボックス本体１の内部の略中間位置にあり、この底板部１Ａａの下部はさらに前面側に窪んだ段部１Ａａ１となっている。また、底板部１Ａａより前面側の空間はスピーカを収容固着するためのスピーカ室Ｓとなっており、このスピーカ室Ｓの内部に前記スピーカ３が取り付けられる。なお、スピーカ室Ｓの開口端部にはバッフル板やサランネットを有する表ケース２０（図４(C) の一点鎖線）が取り付けられる。
【００２３】
図４(A) ，(B) に一点鎖線で示すように、凹部１Ａ内のボス１ａ１〜１ａ３には被係着部を構成する係着用金具１１がネジ止めされ、ボス１ａ６〜１ａ８には係止手段を構成する係止用金具１２がネジ止めされている。スピーカボックス本体１の底面には、略周囲４箇所に僅かに出っ張らせた脚部１ｂが形成されるとともに、該底面の前後方向中央には２箇所にスタンド係着部１３，１３が取り付けられている。このスタンド係着部１３，１３は後述のミキサ装置２におけるスタンド係着部２３と同様な構造である。なお、スピーカボックス本体１の背面上端部には該スピーカボックス本体１の一部を穿つことにより取っ手１ｃが形成されている。
【００２４】
図２は回路ユニット結合型スピーカ装置１０の要部側断面図、図３は回路ユニット結合型スピーカ装置１０の要部背面図であり、スピーカボックス１の凹部１Ａ内にミキサ装置２が嵌合収納されている。図２に示すように、ミキサ装置２は矩形箱状の本体ケース２１にパネル板２２をネジＮ１でネジ止めして外装ケースが構成されている。本体ケース２１内にはメイン基板２ａ、回路部品２ｂ、サブ基板２ｃ、操作部基板２ｄなど、ミキサ機能とアンプ機能を得る電子回路が収容されている。
【００２５】
前記のように係着用金具１１はボス１ａ１〜１ａ３に対してネジＮ２によりネジ止めされている。この係着用金具１１は例えばステンレス等の弾性板を曲げ加工して形成されており、先端を凹部１Ａの開口内側に折り曲げて形成された爪部１１ａと、爪部１１ａよりも凹部１Ａ内に折り曲げて形成された板バネ部１１ｂとを有している。１１ｃは係着用金具１１の立上り壁部である。なお、この構造は図２の二点鎖線の吹き出し部に拡大して図示されている。
【００２６】
ミキサ装置２のパネル板２２の外周形状はスピーカボックス本体１の凹部１Ａの開口に略嵌合する形状となっており、その外周の下辺部の２箇所には、円弧状に突出した爪部２２ａ，２２ａが形成されている。そして、この爪部２２ａ，２２ａを係着用金具１１の爪部１１ａと板バネ部１１ｂとの間に挟み、ミキサ装置２を凹部１Ａ内に挿入することで、パネル板２２の爪部２２ａ，２２ａを係着金具１１の爪部１１ａ，１１ａに係合させた状態で、該爪部２２ａ，２２ａの裏面で板バネ部１１ｂをその弾性力に抗して押し下げるようにする。そして、後述の係止手段でミキサ装置２をスピーカボックス本体１に固定することで、このパネル板２２の爪部２２ａ，２２ａ、係着金具１１の爪部１１ａ，１１ａおよび板バネ部１１ｂにおいて、ミキサ装置２がスピーカボックス本体１に係着される。すなわち爪部２２ａ，２２ａが「係着部」、爪部１１ａ，１１ａおよび板バネ部１１ｂが「被係着部」を構成している。なお、係着用金具１１の爪部１１ａの表面には、薄い樹脂シートが貼り付けられており、外からはこの樹脂シートが視認されるだけである。
【００２７】
前記のように係止用金具１２はボス１ａ６〜１ａ８に対してネジＮ３によりネジ止めされている。この係止用金具１２は例えば鉄板を曲げ加工して断面コ字状に形成されており、水平に凹部１Ａの開口端部まで折り曲げて形成された水平部１２ａを有する。また、水平部１２ａには、その２箇所にバネ１２ｂを介してナット板１２ｃ，１２ｃが取り付けられている。図７は係止手段の要部である係止用金具１２とナット板１２ｃの近傍の側面図である。図に示したように、ナット板１２ｃにはネジ穴１２ｄが切られており、水平部１２ａにはネジ穴１２ｄに対向する位置に透孔１２ａ１が形成されている。
【００２８】
また、ミキサ装置２のパネル板２２の上辺部近傍には、ナット板１２ｃのネジ穴１２ｄに対応する位置に止めネジ２４，２４が回動自在に取り付けられている。そして、前述のようにミキサ装置２を前記係着部および被係着部で係着させた状態で、止めネジ２４のネジ部２４ａを透孔１２ａ１を介してナット板１２ｃのネジ穴１２ｄにネジ止めする。これにより、ミキサ装置２がスピーカボックス本体１に固着される。すなわち、スピーカボックス本体１側の係止用金具１２、バネ１２ｂ、ナット板１２ｃ、ミキサ装置２側の止めネジ２４が「係止手段」を構成している。
【００２９】
図２に示すように、ミキサ装置２の本体ケース２１の底板部２１Ａには２箇所にスタンド係着部２３，２３が取り付けられている。図の二点鎖線の吹き出し部に図示したように、このスタンド係着部２３は、内ネジ部２３ａと外ネジ部２３ｂを有するネジ部材であり、フランジ部２３ｃを本体ケース２１の背面に密着させて該本体ケース２１の穴２１ａを貫通し、本体ケース２１の内部からナット２３ｄを外ネジ部２３ｂに螺合してネジ止めしたものである。図８はスピーカ用およびミキサ用のスタンドのブラケット部４１を示す図であり、台座４１ａに２つのブラケットネジ４１ｂ，４１ｂが回動自在に取り付けられている。２つのブラケットネジ４１ｂ，４１ｂの間隔はミキサ装置２の２つのスタンド係着部２３，２３の間隔と同一であり、このブラケットネジ４１ｂのネジ部４１ｃをスタンド係着部２３（図２参照）の内ネジ部２３ａ内に螺合してネジ止めすることで、ミキサ装置２はブラケット部４１に取り付けられる。
【００３０】
前記スピーカボックス本体１の底面のスタンド係着部１３，１３も上記ミキサ装置２のスタンド係着部２３，２３と同じ構造で、その間隔も同一である。したがって、このスピーカボックス本体１も上記同様にブラケット部４１に取り付けることができる。
【００３１】
なお、図３に示すように、ミキサ装置２のパネル板２２には、上下２箇所に取っ手２５ａ，２５ｂが取り付けられており、この取っ手２５ａ，２５ｂを持ってミキサ装置２を凹部１Ａに対して着脱する。取っ手２５ａ，２５ｂは無くてもよいし、取っ手２５ａ，２５ｂのいずれか一方だけあってもよい。また、パネル板２２には、ステレオ２チャンネルの左右スピーカ用出力端子ａＬ，ａＲ、レコーダー用出力端子ｂＬ，ｂＲ、増設パワースピーカ用出力端子ｃＬ，ｃＲが配設されている。また、マイク入力端子ｄ、ライン入力端子ｅ、マイク／ライン選択スイッチｆ、リバーブ調整摘みｇ、チャンネルレベル摘みｉ２〜ｉ７、マスタレベル摘みｉ１、ＡＣ電源コネクタｊ、電源スイッチｋ等が配設されている。さらに、スピーカボックス本体１には、凹部１Ａの近傍に、ミキサ装置２からのケーブルＣ３（あるいはＣ４）を接続するためのジャック（端子）１４が配設されている。
【００３２】
図５は第２スピーカ装置１０′の要部側断面図、図６は裏蓋２′の正面図であり、図５において裏蓋２′以外の要素において、図２のスピーカ装置１０と同じ要素には図２と同数字符号に「′」を付記して詳細な説明は省略する。例えば主要部である、スピーカボックス本体１′、凹部１Ａ′、係着用金具（被係着部）１１′、爪部（被係着部）１１ａ′、板バネ部（被係着部）１１ｂ′、係止用金具（係止手段）１２′、バネ（係止手段）１２ｂ′、ナット板（係止手段）１２ｃ′は、スピーカボックス本体１、凹部１Ａ、係着用金具（被係着部）１１、爪部（被係着部）１１ａ、板バネ部（被係着部）１１ｂ、係止用金具（係止手段）１２、バネ（係止手段）１２ｂ、ナット板（係止手段）１２ｃと同じ構造である。
【００３３】
このスピーカボックス本体１′の凹部１Ａ′内にはマイクＭおよびそのケーブルＣ２、電源用ケーブルＣ５、ミキサ装置２とスピーカボックス本体１，１′とを接続するケーブルＣ３，Ｃ４が収納されている。裏蓋２′の外周形状はスピーカボックス本体１′の凹部１Ａ′の開口に略嵌合する形状となっており、凹部１Ａ′の開口部に裏蓋２′が嵌合装着されている。したがって、当該第２スピーカ装置１０′の搬送時にも、凹部１Ａ′からマイクＭ、ケーブルＣ２〜Ｃ４が脱落することがなく、裏蓋２′は「脱落防止部材」となっている。
【００３４】
図６に示したように、裏蓋２′の外周の下辺部の２箇所には、円弧状に突出した爪部２２ａ′，２２ａ′が形成されている。そして、この爪部２２ａ′，２２ａ′、係着用金具１１′の爪部１１ａ′と板バネ部１１ｂ′は、前記図２に示すスピーカ装置１０における、爪部２２ａ、爪部１１ａ、板バネ部１１ｂと同様に係着される。すなわち、この場合も、爪部２２ａ′，２２ａ′が「係着部」、爪部１１ａ′，１１ａ′および板バネ部１１ｂ′が「被係着部」を構成している。また、裏蓋２′の上辺部近傍には前記ミキサ装置２における止めネジ２４，２４と同位置に止めネジ２４′，２４′が回動自在に取り付けられている。そして、裏蓋２′を前記係着部および被係着部で係着させた状態で、前記図２の場合と同様に、止めネジ２４′でナット板１２ｃ′にネジ止めすることで、裏蓋２′がスピーカボックス本体１′に固着される。すなわち、この場合も、スピーカボックス本体１′側の係止用金具１２′、バネ１２ｂ′、ナット板１２ｃ′と、裏蓋２′側の止めネジ２４′が「係止手段」を構成している。
【００３５】
このように、図２、図５の何れの場合でも、係着部と被係着部との両部において、板バネ部１１ｄ，１１ｄ′（弾性部材）の弾性回復力と、爪部２２ａ，２２ａ′と爪部１１ａ，１１ａ′との摩擦によるにより、ミキサ装置２あるいは裏蓋２′がスピーカボックス本体１，１′に係着しているので、「係止手段」における極めて少ないネジ数（この例では２本）により、ミキサ装置２や裏蓋２′を着脱できる。
【００３６】
また、実施形態では、凹部１Ａ，１Ａ′に段部１Ａａ１，１Ａａ１′が形成されている。したがって、凹部１Ａにおいては、ミキサ装置２を挿入するとき、該ミキサ装置２の角部２Ａ（図２参照）が凹部１Ａの底板１Ａａと干渉することがなく、ミキサ装置２を容易に収納できる。また、凹部１Ａ′においては、図５のようにマイクＭ等のある程度サイズのある部材を段部１Ａａ１′側に配置し、可撓性があるケーブルＣ３〜Ｃ５等の固まりのように変形可能な部材を段部１Ａａ１′以外の浅い部位に配置することができる。この場合、ケーブルＣ３〜Ｃ５等を裏蓋２′と底板部１Ａａ′との間に挟むようにし、両者の摩擦等によりケーブルＣ３〜Ｃ５等が凹部１Ａ′内で動かないように収納することもできる。
【００３７】
図６に示したように裏蓋２′の表面には、ミキサ装置２を用いた代表的な接続例が３パターンの図画により図示されている。この例はでは、第１の図柄Ｆ１はバンド演奏の場合、第２の図柄Ｆ２はソロ演奏の場合、第３の図柄Ｆ３はパーティー会場で使用する場合を示している。なお、各図画は、演奏するプレーヤー、観客、司会者、参加者等、スピーカボックス本体、楽器、その他レコーダ等の機器、ミキサ装置２のパネル板２２の略図および、機器とミキサ装置とを接続するケーブルの線図で構成されている。このように、当該回路ユニット結合型スピーカ装置の使用態様例を図画により表示されているので、ミキサ装置２の使い方（接続の仕方）等を容易に把握することができ、初心者でも扱いやすく、使い勝手がよい。
【００３８】
実施形態におけるミキサ装置２はミキサ機能とアンプ機能とを有しているが、スピーカボックス本体に収納可能とする回路ユニットとしては、アンプ装置や効果付与装置など、スピーカに供給する信号に対して信号処理をするような回路ユニットであってもよい。
【００３９】
また、実施形態は好適な例であるが、「係着部」、「被係着部」および「係止手段」は実施形態に限定されるものではなく、例えばミキサ装置や裏蓋の片側をスピーカボックス本体の凹部の開口縁の近傍に係着でき、且つミキサ装置や裏蓋のその他の箇所（特に係着部の反対側が良い）で該ミキサ装置や裏蓋を凹部の開口縁の近傍に係止できる構成であればよい。
【００４０】
例えば請求項１の固定部と被固定部の構造として、次のようなものがある。スピーカボックスとミキサ装置（あるいは裏蓋）のいずれか一方に係合穴が有り、他方にこの係合穴に挿入できる爪があり、この係合穴に係合爪を挿入して該係合穴と係合爪の反対側においてスピーカボックスとミキサ装置（あるいは裏蓋）とを固定する構造がある。この固定する構造は、例えばミキサ装置（あるいは裏蓋）に指で弾性変形できる爪を設け、スピーカボックスにこの爪に係合する例えば穴を設けて互いに固定できるような構造でもよい。あるいは、固定部、被固定部は、そのた、手や蝶ネジ等によって簡単に回動あるいは係合できるネジ等によってスピーカボックスとミキサ装置（あるいは裏蓋）とを固定できるような構造でもよい。
【図面の簡単な説明】
【００４１】
【図１】本発明の実施形態の回路ユニット結合型スピーカ装置の使用状態の一例を示す図である。
【図２】本発明の実施形態における回路ユニット結合型スピーカ装置の要部側断面図である。
【図３】本発明の実施形態における回路ユニット結合型スピーカ装置の要部背面図である。
【図４】本発明の実施形態におけるスピーカボックス本体を示す図である。
【図５】本発明の実施形態における第２スピーカ装置の要部側断面図である。
【図６】本発明の実施形態における裏蓋の正面図である。
【図７】本発明の実施形態における係止手段の要部を示す図である。
【図８】本発明の実施形態におけるスピーカ用およびミキサ用のスタンドのブラケット部を示す図である。
【符号の説明】
【００４２】
１、１′…スピーカボックス本体、１Ａ、１Ａ′…凹部、２…ミキサ装置（回路ユニット）、２′…裏蓋（脱落防止部材）、３、３′…スピーカ、１０…回路ユニット結合型スピーカ装置、１０′…第２スピーカ装置、１１、１１′…係着用金具（被係着部）、１１ａ、１１ａ′…爪部（被係着部）、１１ｂ、１１ｂ′…板バネ部（被係着部）、１２、１２′…係止用金具（係止手段）、１２ｂ，１２ｂ′…バネ（係止手段）、１２ｃ、１２ｃ′…ナット板（係止手段）、１３，２３…スタンド係着部、２２ａ、２２ａ′…爪部（係着部）、２４、２４′…止めネジ（係止手段）、Ｃ１〜Ｃ４…ケーブル（必需品）
【図１】
2006093962.tif 000003
【図２】
2006093962.tif 000004
【図３】
2006093962.tif 000005
【図４】
2006093962.tif 000006
【図５】
2006093962.tif 000007
【図６】
2006093962.tif 000008
【図７】
2006093962.tif 000009
【図８】
2006093962.tif 000010